(57)【要約】【課題】  海中に定常的に設置される漁網を支持しつつも疲労破壊が生じない漁網支持索、漁網支持システム及び漁網支持ロープ集結具を提供する。【解決手段】  本発明に係る漁網支持索１１は、海中に定常的に設置される漁網を支持するロープ２と、ロープ２の一端に直列に結合された緩衝材３とを備え、緩衝材３が、棒状の弾性体３３と、隣接するリンク３２同士に間隙３１ａを設けつつ直線状に配列されて弾性体３３の内部に埋設されるとともに、間隙３１ａに弾性体３３が充填されたリンクチェーン３１とを有する。漁網支持システムは、複数の漁網支持索１１が一つの結合具に結合されて成り、漁網支持ロープ集結具は、複数の緩衝材３が一つの結合具に結合されて成る。【選択図】  図１
2013013366.tif 000002
【特許請求の範囲】
【請求項１】
海中に定常的に設置される漁網を支持するロープと、
前記ロープの一端に直列に結合された緩衝材とを備え、
前記緩衝材が、棒状の弾性体と、隣接するリンク同士に間隙を設けつつ直線状に配列されて前記弾性体の内部に埋設されるとともに、前記間隙に前記弾性体が充填されたリンクチェーンとを有する
ことを特徴とする漁網支持索。
【請求項２】
一つの前記ロープの一端に複数の前記緩衝材が結合されている
ことを特徴とする請求項１に記載の漁網支持索。
【請求項３】
前記リンクチェーンの表面に亜鉛系メッキ層が形成されている
ことを特徴とする請求項１又は２に記載の漁網支持索。
【請求項４】
複数の請求項１〜３のいずれかに記載の漁網支持索が、それぞれの前記緩衝材の前記ロープと反対側の端部の前記リンクを介して、一つの結合具に結合されて成る
ことを特徴とする漁網支持システム。
【請求項５】
棒状の弾性体と、隣接するリンク同士に間隙を設けつつ直線状に配列されて前記弾性体の内部に埋設されるとともに、前記間隙に前記弾性体が充填されたリンクチェーンとを有する複数の緩衝材が、それぞれの端部の前記リンクを介して一つの結合具に結合されて成る
ことを特徴とする漁網支持ロープ集結具。
【請求項６】
前記リンクチェーンの表面に亜鉛系メッキ層が形成されている
ことを特徴とする請求項５に記載の漁網支持ロープ集結具。
【発明の詳細な説明】
【技術分野】
【０００１】
本発明は、海中に定常的に設置される漁網を支持する漁網支持索、漁網支持システム及び漁網支持ロープ集結具に関する。
【背景技術】
【０００２】
回遊性の魚介類を捕獲するため海中の一定の場所に漁具を定常的に設置して営む漁業として定置網漁業が知られている。定置網漁業では、一漁期の間は定置網を設置して自然に定置網に進入してきた魚介類を漁獲する。海中に定常的に設置された定置網の例を、順に斜視図、平面図及び側面図として図５〜７に示す。図５〜７に示す定置網５は二段落網と呼ばれ、垣網５１、囲網５２、昇網５３及び箱網５４から構成されている。垣網５１により誘導された魚群は、入網口Ｅを通り囲網５２内の運動場Ｆに進入し、そこから昇網５３を昇って箱網５４に落とし入れられる。そして箱網５４のみを引き揚げることで漁獲されるよう構成されている。
【０００３】
定置網構造には、これら網の支持又は形状の保持のためのロープが複数設けられている。これらのロープは主に、網を海水面Ｓから吊り下げるよう支持するため複数の浮子７１が結束された側張６１、網の形状を保持するための型綱６２、及び海底面Ｇに沈む錨７３に繋がれた錨綱６３に分類される。通常の定置網には、複数のロープが一か所で集結するような集結部が何箇所か存在し、例えば図５，６において破線Ａで示す箇所においては四方向から延びるロープが一つの集結部に繋がれている。
【０００４】
ロープは漁網を支持する構造物であるため、ロープが切れると漁網が流出するという重大な事態を招くおそれがあるところ、近年このような集結部の近傍において、疲労破壊とみられる原因でロープが切れるという事象が報告されている。そのため、ロープの疲労破壊に対して早急な対策が求められている。
【０００５】
図８は、図５，６において破線Ａで示された、複数のロープの集結部を拡大して示す拡大平面図である。図示するように、集結部では四本のロープ２，・・・，２が一つのリング状の結合具４１に結合されている。各々のロープ２の端部は、スリーブ２１を使用した圧縮加工が施されてアイ２ａが形成されており、アイ２ａと結合具４１とは、シャックル３４により結合されている。ここでシャックル３４による結合であるならば、本来的には結合具４１とロープ２のアイ２ａとが互いに回転を拘束し合うことは無く、波浪や潮位の変動等に起因してロープ２の端部に曲げモーメントが作用することは、本来的には無い。
【０００６】
しかし、漁網が長期間海中に設置される場合、ロープの集結部も長期間海中に置かれることになるが、その間にシャックル３４の近傍に、藻類が着生する、貝殻が付着する、金属部分に錆が発生するなどして、結合具４１とアイ２ａとの結合が固着する可能性がある。すると結合具４１とアイ２ａとの間での自由な回転が阻害されて剛結合とほぼ同様となり、ロープ２の端部近傍に曲げモーメントが作用し得るようになる。そして波浪や潮流の影響により集結部に多方向からの荷重が作用すると集結部には曲げモーメントが作用し、その曲げモーメントはロープ２の端部まで伝達することになる。さらにロープ２の端部にはスリーブ２１の近傍に剛性急変部Ｃが存在するため、曲げモーメントによる曲げ応力は剛性急変部Ｃに集中する。
【０００７】
また、ロープ２が伸縮し難いワイヤーロープ等の材料からなる場合、ロープ２に衝撃荷重が作用して弛緩状態から急激に緊張状態に遷移すると、ロープ２にはピーク的な高いレベルの引張応力が発生する。そして、この引張応力もまた剛性急変部Ｃに集中することになる。
【０００８】
これらの曲げ応力及び引張応力が、剛性急変部Ｃに集中して繰り返し作用する結果、ロープ２が疲労破壊により切断すると考えられる。
【０００９】
なお、図８に示すロープ２は、アイ２ａが圧縮加工により形成されているため、スリーブ２１の根元に剛性急変部Ｃが存在するが、例えばサツマ加工によりアイが形成されている場合においてもロープに剛性急変部は存在するため、疲労破壊の危険性は存在する。そしてこのようなロープの集結部及びロープにおける剛性急変部は、定置網の構造の中に複数存在させざるを得ない。
【００１０】
疲労破壊は繰り返し応力の累積により発生するが、作用する応力が疲労限以下であれば疲労破壊は発生しない。そのため、ロープの径を大きくして作用する応力を疲労限以下に下げれば疲労破壊を回避することはできる。しかし、大径のロープで定置網を支持するためには結束すべき浮子の数量も増え、定置網全体の重量の増加を招き、さらには網の運搬、設置や引き揚げの際の労力が増大するなどの弊害が生ずる、という問題がある。
【先行技術文献】
【非特許文献】
【００１１】
【非特許文献１】「日本漁具・漁法図説」、成山堂書店、平成１７年６月８日、ｐ．３５９
【発明の概要】
【発明が解決しようとする課題】
【００１２】
そこで、本発明が解決しようとする課題は、海中に定常的に設置される漁網を支持しつつも疲労破壊が生じない漁網支持索、漁網支持システム及び漁網支持ロープ集結具を提供することである。
【課題を解決するための手段】
【００１３】
本発明は、前記課題を解決するためになされたもので、請求項１に記載の発明は、海中に定常的に設置される漁網を支持するロープと、前記ロープの一端に直列に結合された緩衝材とを備え、前記緩衝材が、棒状の弾性体と、隣接するリンク同士に間隙を設けつつ直線状に配列されて前記弾性体の内部に埋設されるとともに、前記間隙に前記弾性体が充填されたリンクチェーンとを有することを特徴とする漁網支持索である。
【００１４】
請求項１に記載の発明によれば、弾性体とリンクチェーンとを備える緩衝材により曲げ荷重および衝撃荷重が吸収されるため、長期間海中に設置しても疲労破壊が生じにくい漁網支持索を提供することができる。なお、「海中に定常的に設置される漁網」は定置網に限られるものではなく、例えば生簀をも含む。また「索」は、一次元状の部材の概念を示す。
【００１５】
請求項２に記載の発明は、一つの前記ロープの一端に複数の前記緩衝材が結合されていることを特徴とする請求項１に記載の漁網支持索である。
【００１６】
請求項２に記載の発明によれば、緩衝材の数量を変更することにより、作用する荷重に応じて適切な強度を有する漁網支持索を提供することができる。
【００１７】
請求項３に記載の発明は、前記リンクチェーンの表面に亜鉛系メッキ層が形成されていることを特徴とする請求項１又は２に記載の漁網支持索である。なお、ここで「亜鉛系メッキ層」とは、亜鉛又は亜鉛合金からなるメッキ層をいい、亜鉛合金には例えば亜鉛−アルミニウム合金及び亜鉛−アルミニウム−マグネシウム合金等が含まれる。
【００１８】
請求項３に記載の発明によれば、長期間海中に設置しても錆や腐食が生じにくい漁網支持策を提供することができる。
【００１９】
請求項４に記載の発明は、複数の請求項１〜３のいずれかに記載の漁網支持索が、それぞれの前記緩衝材の前記ロープと反対側の端部の前記リンクを介して、一つの結合具に結合されて成ることを特徴とする漁網支持システムである。
【００２０】
請求項４に記載の発明によれば、長期間海中に設置しても疲労破壊が生じにくい漁網支持システムを提供することができる。
【００２１】
請求項５に記載の発明は、棒状の弾性体と、隣接するリンク同士に間隙を設けつつ直線状に配列されて前記弾性体の内部に埋設されるとともに、前記間隙に前記弾性体が充填されたリンクチェーンとを有する複数の緩衝材が、それぞれの端部の前記リンクを介して一つの結合具に結合されて成ることを特徴とする漁網支持ロープ集結具である。
【００２２】
請求項５に記載の発明によれば、それぞれの他端にロープを結合することにより漁網を支持することが可能となるような、長期間海中に設置しても疲労破壊が生じにくい漁網支持ロープ集結具を提供することができる。
【００２３】
請求項６に記載の発明は、前記リンクチェーンの表面に亜鉛系メッキ層が形成されていることを特徴とする請求項５に記載の漁網支持ロープ集結具である。
【００２４】
請求項６に記載の発明によれば、長期間海中に設置しても錆や腐食が生じにくい漁網支持策を提供することができる。
【発明の効果】
【００２５】
本発明によれば、弾性体とリンクチェーンとを備える緩衝材により曲げ荷重および衝撃荷重が吸収されるため、長期間海中に設置しても疲労破壊が生じにくい漁網支持索、漁網支持システム及び漁網支持ロープ集結具を提供することができる。
【図面の簡単な説明】
【００２６】
【図１】本発明に係る漁網支持索の第一の実施形態を示す部分断面平面図である。
【図２】本発明に係る漁網支持索の第二の実施形態を示す平面図である。
【図３】本発明に係る漁網支持システムの実施形態を示す平面図である。
【図４】本発明に係る漁網支持ロープ集結具の実施形態を示す平面図である。
【図５】海中に定常的に設置された漁網の一例である定置網を示す斜視図である。
【図６】海中に定常的に設置された漁網の一例である定置網を示す平面図である。
【図７】海中に定常的に設置された漁網の一例である定置網を示す正面図である。
【図８】海中に定常的に設置された漁網の一例である定置網において、複数のロープが一点に集結する従来の集結部を拡大して示す拡大平面図である。
【発明を実施するための形態】
【００２７】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２８】
（漁網支持索の第一の実施形態）
本発明に係る漁網支持索の第一の実施形態について、図１に基づき説明する。図１は、第一の実施形態の漁網支持索１１の部分断面平面図である。
【００２９】
漁網支持索１１は、海中に定常的に設置される漁網を支持するロープ２と、ロープ２の一端に直列に結合された緩衝材３とを備える。ロープ２は漁網を支持するロープであって、図５〜７に示す定置網における側張６１、型綱６２や錨綱６３等として機能する。ロープ２の一端にはアイ２ａが形成されており、これはロープ２を巻き反してスリーブ２１で圧縮することによって形成されている。なお、ロープ２は典型的にはワイヤーロープであるがこれに限らず、例えば合成繊維からなるロープを使用することも勿論可能である。また、スリーブによる圧縮に代えて、サツマ加工等によってアイを形成することも勿論可能である。さらに、アイ２ａの形状を保持するためにシンブルを挿入することも適宜行うことができる。
【００３０】
緩衝材３は、リンクチェーン３１と棒状の弾性体３３とを備えている。リンクチェーン３１は、隣接するリンク３２同士の間に間隙３１ａが設けられつつ直線状に配列された状態で弾性体３３の内部に埋設されており、間隙３１ａにも弾性体３３が充填されている。すなわち、隣接するリンク同士は直接接触しておらず、リンクチェーン３１における引張荷重の伝達は、間隙３１ａに充填された弾性体３３を介して行われる。そしてリンクチェーン３１の両端のリンク３２ａ，３２ｂは、それぞれ一部が弾性体３３から外に露出している。リンクチェーン３１の材質は、典型的には合金鋼であり、リンク３２の線径等の寸法は、作用する荷重に応じて適宜設定することができる。弾性体３３の材質は、合成ゴムや天然ゴム等適宜選択することができる。また、図１に図示する弾性体３３の形状は円柱形であって、円柱の径を適宜選択することにより緩衝材３が有する剛性を設定することができるが、弾性体３３の形状も任意に選択することができる。なお、全ての隣接するリンク３２同士の間に間隙を設ける必要は無く、間隙の個数やその幅は適宜設定することができる。
【００３１】
なお、緩衝材３はリンクチェーン３１と弾性体３３との複合体であるため全体として弾性を有し、曲げモーメントを吸収することができる。また、リンクチェーン３１はリンク同士が離れて配置されているものの、リンクチェーン３１が埋設される弾性体３３は弾性を有するため、緩衝材３に作用する張力が小さくても弛むことなく緩衝材３の形状は保持される。さらに、緩衝材３における荷重の伝達は、リンク同士の間に存在する弾性体３３を介してなされるため、突発的な衝撃荷重によりロープに作用する応力のレベルを緩和することができる。
【００３２】
緩衝材３の一端のリンク３２ａは、合金鋼から成るシャックル３４，３４及びリンクチェーン３５を介して結合具４１に連結されており、他端のリンク３２ｂは、シャックル３４を介してロープ２の一端に設けられているアイ２ａに連結されている。なお、シャックル３４に代えてフックやサルカン等の適宜な連結部材を選択することも勿論可能であり、リンクチェーン３５の長さも適宜決定することができる。
【００３３】
結合具４１はリング状の合金鋼の部材で構成されており、型綱、側張同士の連結点等のように複数の索が集結する集結部に設置される。したがって、結合具４１には複数の漁網支持索１１，・・・，１１が同様に連結されている。
【００３４】
次に、本実施形態に係る漁網支持索１１を使用した場合の構成及び作用について以下に説明する。漁網支持索１１のロープ２は、漁網を支持又は漁網の形状を保持するよう、適宜浮子が結束されて海中又は海面に配置されている。そしてさらに漁網支持索１１は、その緩衝材３におけるロープ２と反対側の端部のリンクから延出するリンクチェーン３５を介して、シャックル３４によって結合具４１に連結されている。長期間に亘る海中への設置による藻類の着生、貝殻の付着、金属部分への錆の発生などにより、シャックル３４及びリンクチェーン３５による連結部が固着すると、潮位の変動、潮流や波浪の発生により漁網支持索１１の端部に曲げモーメントが作用する。しかし、前述のように曲げモーメントは緩衝材３が吸収するため、ロープ２のアイ２ａ近傍に作用する曲げ荷重は緩和され、したがって応力集中部に作用する曲げ応力も緩和される。これにより、ロープ２の疲労寿命が伸長することになる。また前述のように、引張荷重の伝達がリンク同士の間の間隙３１ａに存在する弾性体３３を介してなされて衝撃荷重により生じる応力のレベルを緩和することも、ロープの疲労寿命の伸長に寄与する。
【００３５】
さらに、漁網支持索１１に予め張力を与えて、すなわち緩衝材３を弾性的に伸ばして結合具４１と結合すると、常時ロープ２に張力が作用することになるので、ロープ２が弛緩状態から緊張状態に急激に遷移することによるピーク的な応力の発生を回避することができるため、好適である。
【００３６】
なお、リンクチェーン３１は弾性体３３に埋設されているため海水に直接触れる箇所が少なく錆びるおそれは少ないが、さらにリンクチェーン３１の表面に亜鉛系メッキ層を形成することも可能である。その構成によりリンクチェーン３１のうち弾性体３３から外部に露出する部分についても耐腐食性が向上するため、好適である。また、シャックル３４、リンクチェーン３５及び結合具４１の表面にも亜鉛系メッキ層を形成することも勿論可能である。なお、ここで「亜鉛系メッキ層」とは、亜鉛又は亜鉛合金からなるメッキ層をいい、亜鉛合金には例えば亜鉛−アルミニウム合金や亜鉛−アルミニウム−マグネシウム合金等が含まれる。メッキ層を形成する方法として、電気メッキや溶融メッキ等の適宜の方法が適用可能である。
【００３７】
（漁網支持索の第二の実施形態）
次に、本発明に係る漁網支持索の第二の実施形態について、図２に基づき説明する。図２は本発明に係る第二の実施形態の漁網支持索１２の平面図である。
【００３８】
本実施形態に係る漁網支持索１２と、第一の実施形態に係る漁網支持索１１との相違点は、一本のロープ２と結合具４１との間に、二本の緩衝材３ａ，３ｂが並列して介在するという点である。緩衝材３ａ，３ｂは第一の実施形態に係る緩衝材と同様な構成を有しているが、それぞれの端部におけるシャックル３４，３４が一つのリンク４２に連結されており、リンク４２がシャックル４３を介してロープ２又は結合具４１に結合されている。
【００３９】
なお、図２に示す漁網支持索１２は、一本のロープ２と結合具４１との間に介在する緩衝材の本数が二本であるが、三本以上とすることも勿論可能である。このように構成することによって、緩衝材の本数を変更することで、漁網支持索１２の結合具４１との連結部における強度及び剛性を調整することができる。すなわち、ロープ２に作用する荷重に応じて様々な大きさの弾性体を有する緩衝材を各種用意しておく必要はなくなる。
【００４０】
本実施形態に係る漁網支持索１２を使用した場合の構成及び作用は、第一の実施形態と同様である。また、第一の実施形態と同様に、漁網支持索１１に予め張力を与えて結合具４１と結合するとピーク的な応力の発生を回避することができ、またリンクチェーン３１、シャックル３４、リンク４２、シャックル４３及び結合具４１の表面に亜鉛系メッキ層を形成すると耐腐食性が向上するため、好適である
【００４１】
（漁網支持システムの実施形態）
次に、本発明に係る漁網支持システムの実施形態について、図３に基づき説明する。図３は本発明に係る漁網支持システム１３の実施形態の平面図であって、複数の前述の漁網支持索１１が結合具４１に連結されて構成されている。これにより、疲労寿命の長い複数の漁網支持索１１が一点の結合具４１から延出するような点を構成することができる。
【００４２】
なお、漁網支持システム１３に用いられている漁網支持索１１は、第一の実施形態に係る漁網支持索であり、ロープ２と結合具４１との間に介在する緩衝材３は一本であるが、前述の第二の実施形態に係る漁網支持索を適用して、一本のロープ２と結合具４１との間に複数の緩衝材が介在するよう構成することも勿論可能である。
【００４３】
また、漁網支持システム１３を使用した場合の構成及び作用は、前述の第一の実施形態に係る漁網支持索１１又は第二の実施形態に係る漁網支持索１２を使用した場合と同様であり、さらにこれらの漁網支持索１１，１２と同様に適宜好適に構成することも可能である。
【００４４】
（漁網支持ロープ集結具の実施形態）
次に、本発明に係る漁網支持ロープ集結具の実施形態について、図４に基づき説明する。図４は本発明に係る漁網支持ロープ集結具１４の実施形態の平面図であって、三つの前述の複数の緩衝材３がそれぞれシャックル３４，３４及びリンクチェーン３５を介して一つの結合具４１に結合されて構成されている。緩衝材３及び結合具４１の構成は、前述の漁網支持索の実施形態と同様である。なお、図示の漁網支持ロープ集結具１４は、三本の緩衝材３が結合具４１に連結されて構成されているが、定置網が有する集結部の構成に応じて本数は変更することができる。
【００４５】
この漁網支持ロープ集結具１４を用いて定置網におけるロープの集結部を構成するには、ロープ２と漁網支持ロープ集結具１４との連結作業のみを行えばよい。したがって、疲労寿命の長いロープを有する定置網を、少ない作業量で構築することができる。
【００４６】
なお、ロープ２と漁網支持ロープ集結具１４との連結の際に、ロープ２に予め張力を与えて、すなわち緩衝材３を弾性的に伸ばして漁網支持ロープ集結具１４と結合すると、緩衝材３が有する弾性により常時ロープ２に張力が作用することになるので、ロープ２が弛緩状態から緊張状態に急激に遷移することによるピーク的な応力の発生を回避することができるため、好適である。
【００４７】
また、リンクチェーン３１は弾性体３３に埋設されているため海水に直接触れる箇所が少なく錆びるおそれは少ないが、さらにリンクチェーン３１の表面に亜鉛系メッキ層を形成することも可能である。その構成によりリンクチェーン３１のうち弾性体３３から外部に露出する部分についても耐腐食性が向上するため、好適である。また、シャックル３４、リンクチェーン３５及び結合具４１の表面にも亜鉛系メッキ層を形成することも勿論可能である。
【符号の説明】
【００４８】
１１，１２    漁網支持索
１３    漁網支持システム
１４    漁網支持ロープ集結具
２    ロープ
３    緩衝材
３１    リンクチェーン
３１ａ  間隙
３２，３２ａ，３２ｂ  リンク
３３    弾性体
４１  結合具
５  定置網
【図１】
2013013366.tif 000003
【図２】
2013013366.tif 000004
【図３】
2013013366.tif 000005
【図４】
2013013366.tif 000006
【図５】
2013013366.tif 000007
【図６】
2013013366.tif 000008
【図７】
2013013366.tif 000009
【図８】
2013013366.tif 000010